(57)【要約】【課題】簡易構築物における支柱に壁パネルを取付ける構造において、簡単に壁パネルを支柱に取り付けることができ、支柱の製造が簡単で安価に提供でき、外観が良好であり、支柱の強度を低下させることが無いようにする。【解決手段】支柱１０は取付片１１においてボルト１２で下部枠体３０に固定されている。支柱１０の室内側には外囲体６０が取付られている。外囲体６０は、支柱１０の幅より幅広に形成された支柱取付部６１と、支柱取付部６１の両側において折曲形成された壁パネル取付部６２と、壁パネル取付部６２の端部に折曲形成されたカバー取付部６３とで構成されている。支柱取付部６１が螺子６５で支柱１０に固着されている。壁パネル取付部６２には壁パネル２０が植込みボルト６６とナット６７で固着されている。カバー取付部６３にはカバー７０が螺子６８で固着されている。カバー７０には螺子カバー７２が嵌合されている。【選択図】　　　　図３
2004068251.tif 000002
【特許請求の範囲】
【請求項１】
支柱と、この支柱に取り付けられた開口部を有する外囲体と、この外囲体に取り付けられた壁パネルと、外囲体の開口部を塞ぐカバーとを有し、前記外囲体は、支柱の幅より幅広の支柱取付部と、支柱取付部の両側において折曲形成された壁パネル取付部と、壁パネル取付部の端部に形成されたカバー取付部とからなり、前記支柱取付部を支柱に取り付け、前記壁パネルを壁パネル取付部に取り付け、前記カバーをカバー取付部に取り付けていることを特徴とする簡易構築物の壁パネル取付構造
【請求項２】
前記外囲体及びカバーの支柱に当接する側の面に、位置合わせのための一対の係合片が形成されている請求項１記載の簡易構築物の壁パネル取付構造。
【発明の詳細な説明】
【０００１】
【発明の属する技術分野】
本発明は、携帯電話の無線基地局等に用いられる簡易構築物のパネル取付け構造に関するものである。
【０００２】
【従来の技術】
従来、携帯電話の無線基地局等には、側面が壁パネルと支柱により形成された簡易構築物が用いられている。この簡易構築物は、一般に、支柱を所定間隔で立設するとともに、これらの支柱間に壁パネルを取り付けた構造となっている。
【０００３】
従来、支柱に壁パネルを取り付けるには、壁パネルを溶接することにより支柱に取り付けたり、特開２００１−１５２５５３号公報で提案されているように、支柱の側面に壁パネル取付溝を形成し、この取付溝に壁パネルの端部を嵌め込むことにより取り付けたり、特開平１１−８１４７０号公報で提案されているように、連結ブラケットで支柱と壁パネルとを連結することにより取り付けたり、実開昭６０−１４８４０１号公報で提案されているように、支柱に取付孔を形成し、螺子部材で螺着することにより取り付けていた。
【０００４】
【発明が解決しようとする課題】
しかしながら、溶接により壁パネルを支柱に取り付けるものは、設置現場に溶接機材を持ち込まなければならず、現場での組立てに手間を要するものであり、一方予め工場で簡易構築物を組み立てた場合には、設置場所への移設作業に多大な労力を要するものであった。また、支柱に形成した取付溝に壁パネルを嵌め込むことにより取り付けるものは、支柱の加工が複雑となり、安価に提供することが困難なものであった。さらに、別体のブラケットを介して壁パネルを支柱に取り付けるものは、ブラケットが外部から視認されるなど外観を悪化させたり、部品点数の増加を招くものであった。さらにまた、螺子部材を用いて直に壁パネルを支柱に取り付けるものは、支柱に螺子部材挿通用の取付孔を多数形成しなければならず、支柱の強度低下を招く虞があった。
【０００５】
以上のように、従来の簡易構築物は壁パネルの取付作業を簡便に行うことができず、部品点数が増加してコストアップを招いたり、外観も満足し得るものでなく、支柱の強度低下を招く等の欠点を有するものであり、これらの要求を全て満たすものが無かった。
【０００６】
本発明は、以上の問題点を全て解決し、簡単に壁パネルを支柱に取り付けることができ、支柱の加工は簡単で且つ安価に提供することができ、外観が良好であり、支柱の強度を低下させることのない簡易構築物の壁パネル取付構造を提供することを目的とする。
【０００７】
【課題を解決するための手段】
本発明による簡易構築物の壁パネル取付構造は、支柱と、この支柱に取り付けられた開口部を有する外囲体と、この外囲体に取り付けられた壁パネルと、外囲体の開口部を塞ぐカバーとを有し、前記外囲体は、支柱の幅より幅広の支柱取付部と、支柱取付部の両側において折曲形成された壁パネル取付部と、壁パネル取付部の端部に形成されたカバー取付部とからなり、前記支柱取付部を支柱に取り付け、前記壁パネルを壁パネル取付部に取り付け、前記カバーをカバー取付部に取り付けていることを特徴として構成されている。
【０００８】
本発明の簡易構築物の壁パネル取付構造においては、支柱に壁パネルが直接取り付けられるのではなく、外囲体を介して取り付けられている。したがって、支柱には外囲体のみを取り付ければよいので、支柱に壁パネルを取付用の加工を施す必要が無く、安価に支柱を製造することができ、かつ、支柱の強度を低下させることがない。
【０００９】
また、外囲体の支柱取付部は支柱の幅より幅広に形成されているので、外囲体を支柱に取り付けた状態において、支柱と壁パネル取付部との間に空間が形成される。したがって、この空間により、壁パネル取付部に壁パネルを取り付ける作業（例えば、ナットの螺着作業）を容易に行うことができる。
【００１０】
さらに、外囲体の開口部にはカバーが取り付けられているので、壁パネルと外囲体の壁パネル取付部との取付け部分が露出することが無く、良好な外観となっている。
【００１１】
【発明の実施の形態】
前記外囲体及びカバーの支柱に当接する側の面に、位置あわせのための一対の係合片を形成することが好ましい。係合片を形成することにより、支柱に外囲体及びカバーを取付ける際、位置合わせを簡単にでき、かつ、ズレを防止することもできる。
【００１２】
本発明による壁パネル取付構造を適用することができる簡易構築物としては、支柱と壁パネルとを有する構築物であれば種々の用途に利用することができ、例えば、携帯電話の無線基地局、物置、バス停留所の壁パネル、プレハブ小屋の壁パネル等に適用することができる。
【００１３】
本発明による簡易構築物の壁パネル取付構造の一実施形態を図面を参照して説明する。
【００１４】
図１は簡易構築物としての携帯電話の無線基地局の正面図、図２は同上平面図、図３は壁パネル取付構造を示す横断面図、図４は一部を欠損した同上要部の縦断面図、図５は同上要部の拡大横断面図である。
【００１５】
図１及び図２において、１０は支柱で、この支柱の間に壁パネル２０が取付られている。この支柱１０は下部枠体３０に取付られており、また、支柱１０の上部には上部枠体４０が取り付けられ、さらに、上部枠体４０には屋根体５０が取付られている。
【００１６】
壁パネル２０は表面がアルミニウム製の板材によって形成され、内部にはガラスウール等の断熱材が充填され、所定の厚さ（約６０ｍｍ）に形成されている。
【００１７】
支柱１０は、図３、図４及び図５に示すように、角形鋼管で形成され、その下端には溶接等により取付片１１が一体に形成され、取付片１１がボルト１２によって下部枠体３０に固定されている。支柱１０の室内側（図３中、上側）には支柱１０と略同一長さの外囲体６０が取付られており、この外囲体６０は、支柱１０の幅より幅広に形成された支柱取付部６１と、この支柱取付部６１の両側において略９０度の角度で室外側（図３中、下側）に折曲形成された壁パネル取付部６２と、この壁パネル取付部６２の端部に折曲形成されたＬ字状のカバー取付部６３とで構成されている。したがって、支柱１０と壁パネル取付部６２との間に空間ａが形成されている。また、支柱取付部６１には、支柱の位置あわせと同時にズレを防止するための一対の係合片６４が形成されている。
【００１８】
そして、支柱取付部６１が螺子６５で支柱１０に固着されるとともに、壁パネル取付部６２には壁パネル２０が植込みボルト６６とナット６７で固着され、さらに、カバー取付部６３にはカバー７０が螺子６８で固着されている。このカバー７０の室内側の面には、支柱取付部６１と同様に、支柱の位置あわせと同時にズレを防止するための一対の係合片７１が形成されている。また、カバー７０には、螺子６７を隠すために螺子カバー７２が嵌合により取付られている。
【００１９】
次に、支柱１０に壁パネル２０を取り付ける方法について説明する。
【００２０】
まず、支柱１０に外囲体６０の係合片６４を嵌め込むようにして位置合わせを行い、螺子６５で外囲体６０を支柱１０に固着する。この作業は、設置現場において行っても、予め行っていてもよい。次に、壁パネル２０の側面に固着されている植込みボルト６６を外囲体６０の壁パネル取付部６２に形成したボルト孔に挿通し、ナット６７を螺合させて固着する。この時、外囲体６０と支柱１０との間に十分な空間ａがあるので、この空間ａに工具を挿入してナット６７の螺合作業を簡単に行うことができる。
【００２１】
次に、支柱１０にカバー７０の係合片７１を嵌め込むようにして位置合わせを行い、螺子６８でカバー７０をカバー取付部６３に固着する。そして、この螺子６８を覆うように螺子カバー７２をカバー７０に嵌合させる。したがって、外部にはカバー７０及び螺子カバー７２のみが露出し、良好な外観を有するものとなっている。
【００２２】
なお、上記実施例において支柱取付部６１を室内側とし、カバー７０を室外側としたが、逆に配置しても構わない。また、壁パネル２０に植込みボルト６６を設けたが、逆にナットを植込み固定して、ボルトを挿入して取り付けても構わない。
【００２３】
【発明の効果】
本発明は、以上のように構成したので、極めて簡単な作業で十分な強度を有する支柱に壁パネルを取付けることができ、また、安価に提供でき、かつ、良好な外観にすることができる。
【図面の簡単な説明】
【図１】本発明による簡易構築物の壁パネル取付構造の一実施形態である携帯電話の無線基地局の正面図。
【図２】本発明による簡易構築物の壁パネル取付構造の一実施形態である携帯電話の無線基地局の平面図。
【図３】本発明による簡易構築物の壁パネル取付構造の一実施形態である携帯電話の無線基地局の壁取付構造の横断面図。
【図４】本発明による簡易構築物の壁パネル取付構造の一実施形態である携帯電話の無線基地局の壁取付構造の一部を欠損した要部縦断面図。
【図５】本発明による簡易構築物の壁パネル取付構造の一実施形態である携帯電話の無線基地局の壁取付構造の要部の拡大横断面図。
【符号の説明】
１０…支柱
２０…壁パネル
３０…下部枠体
４０…上部枠体
５０…屋根体
６０…外囲体
６１…支柱取付部
６２…壁パネル取付部
６３…カバー取付部
７０…カバー
７２…螺子カバー
【図１】
2004068251.tif 000003
【図２】
2004068251.tif 000004
【図３】
2004068251.tif 000005
【図４】
2004068251.tif 000006
【図５】
2004068251.tif 000007